(57)【要約】【課題】  水中で撮影を行う場合に被写体本来の色を再現した画像を取得することができるカメラを提供する。【解決手段】  被写体までの距離情報を取得する距離情報取得部４と、被写体を撮像する撮像部８と、前記撮像部による撮像時に光源３４から前記距離情報に応じた配色の投映光を前記被写体に対して投映する投映部１４とを備える。【選択図】  図１
2012134585.tif 000002
【特許請求の範囲】
【請求項１】
被写体までの距離情報を取得する距離情報取得部と、
被写体を撮像する撮像部と、
前記撮像部による撮像時に光源から前記距離情報に応じた配色の投映光を前記被写体に対して投映する投映部と
を備えることを特徴とするカメラ。
【請求項２】
前記距離情報取得部は、前記撮像部により取得した前記被写体の明るさに基づいて前記距離情報を取得することを特徴とする請求項１記載のカメラ。
【請求項３】
前記距離情報取得部は、距離センサであることを特徴とする請求項１記載のカメラ。
【請求項４】
前記投映部は、前記距離情報に応じて近距離に対する青色から遠距離に対する黄色または赤色に連続的または段階的に定められた色の投映光の投映を行うことを特徴とする請求項１〜３の何れか一項に記載のカメラ。
【請求項５】
前記距離情報取得部により取得した距離情報及び前記撮像部により取得した前記距離情報での前記被写体の画像の色に基づいて前記投映光の色を定めることを特徴とする請求項１〜４の何れか一項に記載のカメラ。
【発明の詳細な説明】
【技術分野】
【０００１】
本発明は、カメラに関するものである。
【背景技術】
【０００２】
ストロボにより照射する光の配光分布を被写体の位置や形状などに応じて変更するカメラが知られている（例えば、特許文献１参照）。このカメラにおいては、被写体までの距離に応じて液晶の透過率を変更することにより遠い位置の被写体に対して近い位置の被写体よりも強い光を照射し、均一な明るさでの撮影を行っている。
【先行技術文献】
【特許文献】
【０００３】
【特許文献１】特開２００３−９８５８０号公報
【発明の概要】
【発明が解決しようとする課題】
【０００４】
ところで、水中においては長波長側の光、即ち赤い光の減衰率が大きいため、このカメラを用いて水中で撮影を行うと遠い位置の被写体が実際よりも青く撮影されてしまうという問題があった。
【０００５】
本発明の目的は、水中で撮影を行う場合に被写体本来の色を再現した画像を取得することができるカメラを提供することである。
【課題を解決するための手段】
【０００６】
本発明に係るカメラは、被写体までの距離情報を取得する距離情報取得部と、被写体を撮像する撮像部と、前記撮像部による撮像時に光源から前記距離情報に応じた配色の投映光を前記被写体に対して投映する投映部とを備えることを特徴とする。
【発明の効果】
【０００７】
本発明に係るカメラによれば、水中で撮影を行う場合に被写体本来の色を再現した画像を取得することができる。
【図面の簡単な説明】
【０００８】
【図１】本発明の第１の実施の形態に係るカメラのシステム構成を示すブロック図である。
【図２】本発明の第１の実施の形態に係るカメラの外観を示す図である。
【図３】本発明の第１の実施の形態に係るカメラの撮影処理を示すフローチャートである。
【図４】本発明の第１の実施の形態に係るカメラのプリ発光を示す図である。
【図５】本発明の第１の実施の形態に係るカメラのプリ撮影により取得した画像を示す図である。
【図６】本発明の第１の実施の形態に係るカメラの照明光の減衰を示す図である。
【図７】本発明の第１の実施の形態に係るカメラの撮影時に射出する照明光を示す図である。
【図８】本発明の第１の実施の形態に係るカメラの撮影により得られた画像を示す図である。
【発明を実施するための形態】
【０００９】
以下、図面を参照して本発明の第１の実施の形態に係るカメラについて説明する。図１は、第１の実施の形態に係るカメラのシステム構成を示すブロック図である。カメラ２は、制御部４を備え、制御部４には、被写体を撮影する撮影部８、撮影部８により出力された撮影信号から生成した画像データを一時的に記憶するメモリ１０、制御部４が実行する撮影処理、距離情報取得処理、被写体に対する照明光の投映処理等のプログラムを記憶するプログラムメモリ１１、撮影画像及び投映画像の画像データ等を記憶するメモリカード１２、撮影部８による撮影時に被写体に対して照明光を投映する投映部１４、カメラ２の背面に配置され撮影部８により撮影された画像、スルー画及びカメラ２の撮影条件を設定するメニュー画面等を表示するＬＣＤ表示部１６、操作部１８、撮影部８により撮影された画像に対してホワイトバランス補正等の画像処理を行う画像処理部１９が接続されている。
【００１０】
ここで、撮影部８は、撮影レンズ２０を介して撮像面上に結像された被写体像を撮像して撮像信号（蓄積電荷としてのアナログ信号）を生成するＣＣＤ或いはＣＭＯＳ等により構成されるイメージセンサ２２、撮影制御回路２６を備えている。ここで、撮影制御回路は、制御部４からの撮影開始指示に応じてイメージセンサ２２に対して撮影を開始させ、イメージセンサ２２から出力された撮影信号を制御部４に送出する。また、撮影制御回路２６は、制御部４からのフォーカス調節信号及びズーム調節信号に基づいて撮影レンズ２０を構成するフォーカスレンズ（不図示）及びズームレンズ（不図示）をそれぞれ移動させる。
【００１１】
また、投映部１４は、ＬＥＤ光源３４から射出された光により液晶パネル３２に表示した投映画像を読み出し投映レンズ３０を介して投映面に投映する。また、投映部１４は、液晶パネル３２によりＬＥＤ光源３４から射出された光を各被写体までの距離に応じた色に変更して各被写体に対して投映する。ここで、投映制御回路３６は、ＬＥＤ光源３４の点灯及び消灯の制御、液晶パネル３２における表示制御を行う。
【００１２】
また、操作部１８は、レリーズ指示を受け付けるレリーズボタン３８（図２参照）、ズームボタン、十字キー等の選択操作部、電源スイッチ等を備えている。なお、ズームボタン、十字キー等に代えてタッチパネルをＬＣＤ表示部１６に積層して配置してもよい。
【００１３】
図２は、第１の実施の形態に係るカメラの外観を示す図である。カメラ２の前面には、被写体光を撮影レンズ２０に入射させる撮影窓４０、被写体に対する照明光を投映する投映窓４２が設けられ、上面にはレリーズボタン３８が設けられている。
【００１４】
次に、図３に示すフローチャートを参照して第１の実施の形態に係るカメラの撮影処理について説明する。ここで、本実施の形態に係るカメラは、水中において以下に示す処理を行う。なお、カメラ２が防水機構を備える構成としてもよいし、カメラ２を防水ケースに入れて撮影を行う構成としてもよい。
【００１５】
レリーズボタン３８が押下されると、図４に示すように投映部１４によりプリ照射を行う（ステップＳ１）。即ち、制御部４は投映制御回路３６を制御して撮影部８の撮影画角内に均一の輝度の光を射出するために液晶パネル３２の全ての画素が同一の色及び同一の透過率となるように表示制御を行うと共に、ＬＥＤ光源３４の点灯を行う。また、制御部４はプリ照射を行っている間に撮影制御回路２６を制御して、撮影部８による撮影（プリ撮影）を行う（ステップＳ２）。なお、プリ撮影が終了した後にＬＥＤ光源３４を消灯する。
【００１６】
次に、制御部４はプリ撮影により取得した画像データにおける輝度に基づいて撮影画角内の各被写体までの距離情報を取得する（ステップＳ３）。ここで、図５に示すように、ステップＳ１においては投映部１４により均一の輝度の光を射出するため近くに位置する被写体４４の輝度は高くなり、遠くに位置する被写体４６の輝度は低くなる。
【００１７】
次に、制御部４は投映制御回路３６を制御して距離情報に基づいて定められる色及び輝度の光を被写体に対して照明できるように液晶パネル３２の色調整及び照明光強度調整等の表示制御を行った後に、ＬＥＤ光源３４の点灯を行い、被写体に対して照明光を射出する。（ステップＳ４）。
【００１８】
ここで、図６（ａ）に示すように水中においては赤い光など長波長側の光が吸収されるため、投映部１４から白い光を射出した場合には近くに位置する被写体を白い光で照明するのに対して、遠くに位置する被写体を青い光で照明することとなる。また、図６（ｂ）に示すように、水中において赤い光を射出した場合には近くに位置する被写体を赤い光で照明し、中距離に位置する被写体を白い光で照明し、遠くに位置する被写体を青い光で照明することとなる。
【００１９】
従って、ステップＳ４においては近くに位置する被写体に対して白い光を射出し、遠くに位置する被写体に対して赤い光を射出するように液晶パネル３２の表示制御を行う。即ち、照明光を被写体に対して射出したときに、各被写体を均一の色の光である白い光で照明するように液晶パネル３２の表示制御を行う。
【００２０】
また、この場合には、上述のように均一の輝度の照明光を射出した場合には、近くに位置する被写体を高輝度で照明し、遠くに位置する被写体を低輝度で照明することとなる。従って、ステップＳ４においては、図７に示すように近くに位置する被写体に対しては輝度が小さい照明光（白色）を射出し、遠くに位置する被写体に対しては輝度が大きい照明光（赤色）を射出するように液晶パネル３２の表示制御を行う。
【００２１】
また、ステップＳ４における照明を行っている間に、制御部４は撮影制御回路２６を制御して撮影を行う（ステップＳ５）。従って、図８に示すように近くに位置する被写体４４及び遠くに位置する被写体４６本来の色を再現した画像を撮影することができる。
【００２２】
本実施の形態に係るカメラによれば、被写体までの距離に関わらず被写体本来の色を再現した画像を撮影することができる。
【００２３】
なお、上述の実施の形態においては、プリ撮影により得られた画像から被写体までの距離情報を取得する構成としたが、アクティブソナー等の距離センサを用いて被写体までの距離情報を取得する構成としてもよい。
【００２４】
また、上述の実施の形態においては、被写体までの距離情報に応じて予め定められた色及び輝度を用いて色調整及び照明光の強度調整を行う構成としたが、水の汚れがほとんどない場合や汚れがひどい場合など、水のコンディションによってユーザが色調整量を選択する構成としてもよい。
【００２５】
また、上述の実施の形態においては、近くに位置する被写体に対して白い光を射出し、遠くに位置する被写体に対して黄色または赤い光を射出するように液晶パネル３２の表示制御を行うことにより各被写体を均一の色の光である白い光で照明する構成としたが、被写体までの距離が遠くなるに従って、照明光が段階的に白い光から赤い光へ変化するように液晶パネル３２の表示制御を行うことにより各被写体を均一の色の光である白い光で照明する構成としてもよいし、被写体までの距離が遠くなるに従って、照明光が連続的に白い光から赤い光へ変化するように液晶パネル３２の表示制御を行うことにより各被写体を均一の色の光である白い光で照明する構成としてもよい。
【００２６】
次に、図面を参照して本発明の第２の実施の形態に係るカメラについて説明する。この第２の実施の形態に係るカメラは、第１の実施の形態に係るカメラの撮影時において投映部により被写体に対して射出する照明光の色を変更したものである。従って、第１の実施の形態と同一の構成についての詳細な説明は省略し、異なる部分のみについて詳細に説明する。また、第１の実施の形態と同一の構成には同一の符号を付して説明する。
【００２７】
レリーズボタン３８が押下されると、図３に示すフローチャートをＳ１〜Ｓ３に示す処理を行う。次に、ステップＳ４において投映部３８により近くに位置する被写体に対して青い光を射出し、中距離に位置する被写体に対して白い光を射出し、遠くに位置する被写体に対して赤い光を射出するように表示制御を行う。
【００２８】
ここで、長波長側の光は吸収されるため、図６（ａ）に示すように中距離に位置する被写体に対して射出した白い光は青い光に変化して被写体を照明し、図６（ｂ）に示すように遠くに位置する被写体に対して射出した赤い光は青い光に変化して被写体を照明する。また、近くに位置する被写体に対して射出した青い光は青い光として被写体を照明する。即ち、照明光を被写体に対して射出したときに、均一の色である青い光で被写体を照明するように液晶パネル３２の表示制御を行う。
【００２９】
また、この場合に、制御部４は、近くに位置する被写体に対しては輝度が小さい照明光を照射し、被写体が遠くに位置するに従って被写体に対して射出する照明光の輝度が大きくなるように液晶パネル３２の表示制御を行う。
【００３０】
次に、図３のステップＳ５に示すように投映部１４による照明を行っている間に、制御部４は撮影制御回路２６を制御して撮影を行う。このとき、全体として青みがかった画像が得られる。従って、画像処理部１９により、得られた画像に対してホワイトバランス補正を行い、被写体本来の色を再現した画像とする。ここで、画像処理部１９は高色温度用のホワイトバランス補正等の水中用のホワイトバランス補正を行う。
【００３１】
本実施の形態に係るカメラによれば、被写体までの距離に関わらず被写体本来の色を再現した画像を取得することができる。
【００３２】
なお、上述の第２の実施の形態においては、近くに位置する被写体に対して青い光を射出し、中距離に位置する被写体に対して白い光を射出し、遠くに位置する被写体に対して赤い光を射出するように液晶パネル３２の表示制御を行うことにより各被写体を均一の色の光である青い光で照明する構成としたが、被写体までの距離が遠くなるに従って、照明光が段階的に青い光から黄色い光または赤い光へ変化するように液晶パネル３２の表示制御を行うことにより各被写体を均一の色の光である青い光で照明する構成としてもよいし、被写体までの距離が遠くなるに従って、照明光が連続的に青い光から黄色い光または赤い光へ変化するように液晶パネル３２の表示制御を行うことにより各被写体を均一の色の光である青い光で照明する構成としてもよい。
【００３３】
次に、図面を参照して本発明の第３の実施の形態に係るカメラについて説明する。この第３の実施の形態に係るカメラは、第１の実施の形態に係るカメラの撮影時に、投映部により射出する光の色を被写体の距離情報に応じて予め設定された色とする構成を、プリ撮影で得られた画像に基づいて射出する光の色を決定する構成に変更したものである。従って、第１の実施の形態と同一の構成についての詳細な説明は省略し、異なる部分のみについて詳細に説明する。また、第１の実施の形態と同一の構成には同一の符号を付して説明する。
【００３４】
レリーズボタン３８が押下されると、図３のフローチャートのステップＳ１及びステップＳ２に示す処理を行う。次に、ステップＳ３に示す処理において制御部４はプリ撮影により取得した画像データにおける輝度に基づいて撮影画角内の被写体までの距離情報を取得すると共に、プリ撮影において射出した照明光の色の変化を距離毎に算出する。次に、ステップＳ４に示す処理において制御部４は照明光の色の変化を補正する色を液晶パネル３２に表示する。即ち、照明光の色の変化を逆補正することができる色の光（照明光が投映レンズ３０から射出されてから被写体を照明するまでに減衰した色の光など）を被写体に照明することができるように液晶パネル３２の表示制御を行う。
【００３５】
また、この場合に、制御部４は、近くに位置する被写体に対しては輝度が小さい照明光を照射し、被写体が遠くに位置するに従って被写体に対して射出する照明光の輝度が大きくなるように液晶パネル３２の表示制御を行う。次に、図３のステップＳ５に示す処理を行い、処理を終了する。
【００３６】
本実施の形態に係るカメラによれば、水中で撮影を行う場合に被写体までの距離に関わらず被写体本来の色を再現した画像を取得することができる。また、水中にゴミが多い場合や汚れがある場合など水の透明度に応じて投映部により射出する照明光の色調整量を変化させることができるため、被写体本来の色を再現した画像を取得することができる。
【符号の説明】
【００３７】
２…カメラ、４…制御部、８…撮影部、１４…投影部、２２…イメージセンサ、３２…液晶パネル、３４…ＬＥＤ光源
【図１】
2012134585.tif 000003
【図２】
2012134585.tif 000004
【図３】
2012134585.tif 000005
【図４】
2012134585.tif 000006
【図５】
2012134585.tif 000007
【図６】
2012134585.tif 000008
【図７】
2012134585.tif 000009
【図８】
2012134585.tif 000010